(57)【要約】【課題】照明器具が設置された乗客コンベアの天井に所定情報を明確に表示可能な乗客コンベアの情報表示装置を提供する。【解決手段】照明器具３が設置された乗客コンベア１の天井２に対して所定情報を表示可能とした乗客コンベアの情報表示装置において、天井２に少なくとも照明器具３を覆う透過型スクリーン（半透過部材）４を設置し、乗客コンベア１の側部に配置したプロジェクター５から透過型スクリーン４上に映像を投影して所定情報を表示するようにした。【選択図】図２
2016074535.tif 000002
【特許請求の範囲】
【請求項１】
照明器具が設置された乗客コンベアの天井に対して所定情報を表示可能とした乗客コンベアの情報表示装置において、
前記天井に少なくとも前記照明器具を覆う半透過部材が設けられており、この半透過部材に対して情報表示手段から映像が投影されることを特徴とする乗客コンベアの情報表示装置。
【請求項２】
請求項１に記載の乗客コンベアの情報表示装置において、前記天井に前記照明器具を臨む開口部が設けられており、前記半透過部材は前記開口部のみ、または前記開口部を含めて前記天井の全面に設けられていることを特徴とする乗客コンベアの情報表示装置。
【請求項３】
請求項１に記載の乗客コンベアの情報表示装置において、前記半透過部材は、布材、プラスチック材、多孔材、網材、シート材、フイルム材の単体または複合体であることを特徴とする乗客コンベアの情報表示装置。
【請求項４】
請求項１に記載の乗客コンベアの情報表示装置において、前記照明器具の点滅または照度を制御する調光制御手段を備え、前記半透過部材に前記映像を投射する際に、前記調光制御手段が前記照明器具の点滅または照度変化を制御することを特徴とする乗客コンベアの情報表示装置。
【請求項５】
請求項４に記載の乗客コンベアの情報表示装置において、前記天井に前記照明器具を複数配設し、前記半透過部材に前記映像を投射する際に、前記調光制御手段が全ての前記照明器具の点滅または照度変化を制御することを特徴とする乗客コンベアの情報表示装置。
【請求項６】
請求項４に記載の乗客コンベアの情報表示装置において、前記半透過部材に前記映像を投射する際に、前記調光制御手段は、前記映像が投射される位置の周辺に存する前記照明器具を消灯または照度低下するように制御することを特徴とする乗客コンベアの情報表示手段。
【発明の詳細な説明】
【技術分野】
【０００１】
本発明は、乗客コンベアの天井に所定情報を表示する情報表示装置に関するものである。
【背景技術】
【０００２】
図４は一般的な乗客コンベア１の上部乗り口から進行方向を俯瞰して示す説明図であり、同図に示すように、乗客コンベア１の上方には天井２が進行方向に沿って略平行に配設されている。通常、天井２には乗客コンベア１を照明するための複数の照明器具３が設けられており、デザインやランプ部材の交換の都合上、照明器具３にはカバーを付設しないことが多くなっている。
【０００３】
このような乗客コンベア１において、建物内のフロアの案内や広告等の所定情報を天井２に映し出すことにより、乗客コンベア１に搭乗した利用者が所定情報を見ながら移動できるようにした情報表示装置が知られている（例えば、特許文献１参照）。
【０００４】
特許文献１に開示された従来の情報表示装置は、乗客コンベア上における利用者位置を抽出し、記憶装置に記憶する利用者位置抽出手段と、乗客コンベアの天井へ所定情報を表示する情報表示装置と、利用者位置抽出手段が抽出した利用者の位置に基づいて、乗客コンベアの天井に情報を表示する位置を算出し、記憶装置に記憶する情報表示位置算出手段と、情報表示位置算出手段が算出した表示位置に所定情報を表示するように、情報表示装置を制御する情報表示位置制御手段とを備えており、利用者が乗客コンベアに乗って下降している時に、注視方向を保ったまま天井に表示された情報を閲覧することができるようになっている。
【０００５】
したがって、特許文献１に開示された従来の情報表示装置を図４に示した乗客コンベア１に適用すれば、プロジェクター等の情報表示装置を用いて広告や案内等の映像を天井に投影することにより、利用者の視界に常に所定情報が表示されることになり、表示された情報に対する利用者の認知度を向上させることが可能になる。
【先行技術文献】
【特許文献】
【０００６】
【特許文献１】特開２００７−６２８９２号公報
【発明の概要】
【発明が解決しようとする課題】
【０００７】
しかしながら、乗客コンベア１の天井２は必ずしも平坦面になっているとは限らず、前述したように複数の照明器具３が設置されているため、図５に示すように、天井２に投影された映像（表示情報）Ｓが照明器具３による凹凸で歪んでしまったり、照明器具３の光によって映像のコントラストが低下してしまうことが予測され、表示情報Ｓを明確に認識することが困難になるという問題が発生する。
【０００８】
本発明は、このような従来技術の実情に鑑みてなされたもので、その目的は、照明器具が設置された乗客コンベアの天井に所定情報を明確に表示可能な乗客コンベアの情報表示装置を提供することにある。
【課題を解決するための手段】
【０００９】
上記の目的を達成するために、本発明は、照明器具が設置された乗客コンベアの天井に対して所定情報を表示可能とした乗客コンベアの情報表示装置において、前記天井に少なくとも前記照明器具を覆う半透過部材が設けられており、この半透過部材に対して情報表示手段から映像が投影されることを特徴としている。
【発明の効果】
【００１０】
本発明の情報表示装置によれば、照明器具が設置された乗客コンベアの天井に対して、広告や案内等の映像を歪みを発生させることなく、かつ高いコントラストで投影して利用者に見せることができる。前述した以外の課題、構成および効果は、以下の実施形態の説明により明らかにされる。
【図面の簡単な説明】
【００１１】
【図１】本発明の実施形態例に係る情報表示装置が適用された乗客コンベアの側面図である。
【図２】図１の情報表示装置が情報表示を行なっている様子を示す乗客コンベアの側面図である。
【図３】実施形態例に係る情報表示装置のブロック図である。
【図４】一般的に知られている乗客コンベアの斜視図である。
【図５】従来例に係る情報表示装置が適用された乗客コンベアの斜視図である。
【発明を実施するための形態】
【００１２】
発明の実施の形態について図面を参照して説明すると、図１に示すように、乗客コンベア１の上方には天井２が進行方向に沿って略平行に配設されている。天井２には乗客コンベア１を照明するための複数の照明器具３が設置されており、各照明器具３を覆うように天井２の全面に半透過部材である透過型スクリーン４が設けられている。照明器具３は後述する調光制御手段によって点滅動作や照度が制御されるようになっており、この調光制御手段は、乗客コンベア１に乗った利用者６の位置や移動速度に応じて、任意の照明器具３を消灯させたり照度を低下させることも可能としている。
【００１３】
また、乗客コンベア１の側部には複数のプロジェクター５が配設されており、これらプロジェクター５は乗客コンベア１の進行方向に沿って所定間隔をあけて一列に配置されている。図２に示すように、プロジェクター５は透過型スクリーン４に映像を投影して所定情報を表示する情報表示手段であり、後述するように、透過型スクリーン４に投影される映像の位置は、乗客コンベア１に乗った利用者６の位置や移動速度に応じて変化できるようになっている。
【００１４】
透過型スクリーン４は、照明器具３からの光を所定の割合で透過させつつ、かつ、プロジェクター５から投射された映像を反射させて映し出す平面スクリーンとしての機能を有する半透過部材であれば何でも良く、例えば光透過性を持つ白色系の色の布材や、半透明のプラスチック材、薄い金属板に多数の孔を設けた多孔材、網戸に用いられるような網材、半透明の材質のシート材やフイルム材、透明と不透明または半透明の領域が一松模様状や交互に配置されているシート材やフイルム材等を単体として、あるいは複数に組み合わせた複合体として使用することが可能である。
【００１５】
前述した照明器具３にカバーが設けられていないため、天井２には照明器具３の露出する開口部による凹凸ができるが、この凹凸は天井２の全面に設置した透過型スクリーン４によって完全に覆われている。したがって、プロジェクター５から投射された映像を表示する面が凹凸のない平面となり、投影した映像に歪みが発生することを防止できる。また、透過型スクリーン４は光透過性を有するため、透過型スクリーン４に情報提示を行なわない時間帯においても、照明器具３の光を透過させて乗客コンベア１の照度を維持することが可能となる。さらに、乗客コンベア１に乗った利用者６は、透過型スクリーン４を介して照明器具３の発光部を間接的に見ることになるため、利用者の目に眩しさ等の悪影響が及ぶことを防止できる。
【００１６】
図３は本発明の実施形態例に係る情報表示装置１０のブロック図であり、同図に示すように、この情報表示装置１０は、利用者位置検出部１１と、情報表示位置演算部１２と、情報表示制御部１３と、調光制御部１４と、前述した照明器具３およびプロジェクター５等を備えている。
【００１７】
利用者位置検出部１１は、人感センサや赤外線センサ等の各種センサ、あるいは撮像カメラによって利用者６の位置を検出する。情報表示位置演算部１２は、利用者位置検出部１１が検出した利用者６の位置に基づいて、透過型スクリーン４に情報を表示する位置を算出する。情報表示制御部１３は、予め記憶部に記憶された画像データに基づいて、情報表示位置演算部１２が算出した位置に所定情報を表示するようプロジェクター５を制御する。調光制御部１４は、情報表示位置演算部１２で算出された位置に基づいて、照明器具３の点滅動作や照度を制御する。
【００１８】
次に、上記のごとく構成された情報表示装置１０による乗客コンベアの情報表示方法について説明する。
【００１９】
図２に示すように、利用者６が乗客コンベア１に乗り込むために接近すると、利用者位置検出部１１によって検出された利用者６の位置に基づいて、情報表示位置演算部１２が透過型スクリーン４に情報を表示すべき位置を算出し、当該位置にプロジェクター５から情報表示に関する映像が放射される。その際に、調光制御部１４は全ての照明器具３を同時に制御し、例えば、これまで点灯していた全ての照明器具３を消灯させたり、その照度を低下させるように制御する。その結果、天井２の透過型スクリーン４に投影された映像はよりコントラストが増加するため、利用者６に対して鮮明な映像として広告や案内などの情報を提供することができる。
【００２０】
あるいは、調光制御部１４が全ての照明器具３を個別に制御するようにしても良く、例えば透過型スクリーン４の一部のみに映像を投影する場合に、映像が投影される箇所の周辺に位置する照明器具３を制御し、この照明器具３を消灯させたり照度を低下させるように制御することも可能である。その結果、周囲を暗くした領域に映像が浮かび上がるように見え、照明と映像による情報提供とを同時に行うことができる。
【００２１】
また、利用者６が乗客コンベア１に乗って移動している速度に合わせて、プロジェクター５から放射される映像が透過型スクリーン４上を移動するように制御することも可能であり、その際に、移動する映像の周囲に位置する照明器具３制御し、この照明器具３を消灯させたり照度を低下させるように制御しても良い。その結果、利用者６は乗客コンベア１による移動中に継続して映像による広告や案内を見ることになるため、より多くの情報を提示したり、動画の映像による情報の提供を行うことが可能となる。
【００２２】
以上説明したように、本実施形態例に係る乗客コンベアの情報表示装置によれば、照明器具３が設置された乗客コンベア１の天井２に透過型スクリーン４が設置されており、この透過型スクリーン４に対して広告や案内等の映像を歪みを発生させることなく、かつ高いコントラストで投影して利用者に見せることができる。したがって、乗客コンベア１の天井２を効果的な広告や案内を行なうためのメディアとすることが可能となり、乗客コンベア１を設置している建物、例えばデパートや駅などにおいては、より多くの乗客コンベア１を利用する利用者に広告や案内等の情報を提供することが可能となる。
【００２３】
なお、上記実施形態例では、天井２の全面に亘って透過型スクリーン４を設置し、この透過型スクリーン４に映像を投影するようにしているが、天井２の大部分が平面状であって、照明器具３のみによって凹部が形成されている場合には、照明器具３の凹部の開口部にのみ透過型スクリーン４を設置するようにしても良い。
【符号の説明】
【００２４】
１  乗客コンベア
２  天井
３  照明器具
４  透過型スクリーン（半透過部材）
５  プロジェクター（情報表示手段）
６  利用者
１０  情報表示装置
１１  利用者位置検出部
１２  情報表示位置演算部
１３  情報表示制御部
１４  調光制御部
【図１】
2016074535.tif 000003
【図２】
2016074535.tif 000004
【図３】
2016074535.tif 000005
【図４】
2016074535.tif 000006
【図５】
2016074535.tif 000007